(57)【要約】【課題】結縛せず使用可能な文房具用綴紐。結縛しても容易にほつれない文房具用綴紐。及び当該綴紐の端部に設置して紙葉類を係止可能な端部押を提供する課題に設定した。【解決手段】綴紐については、綴紐の表面周囲に規則的又は不規則的な突起を設置し、ハサミ切断、折り曲げを容易な構造とする。端部押については、紙葉類の係止面に穴部を設置し内周面に突起を設置し、当該穴部に交わる溝部を設置し当該溝部内周面にも突起を設置し、紐を引っ張って挟み込むこととした。また、穴部近傍に引っ掛けフック部を設置することとした。又はネジを活用することにより綴紐を押圧することとした。【選択図】図２
2014233975.tif 000002
【特許請求の範囲】
【請求項１】
穿孔された紙葉類の穿孔部に通されて紙葉類を綴じる可撓性の綴紐であって、
該綴紐は、綴じ込まれた紙葉類を当該綴紐によって繋縄するものであるか、又は綴じ込まれた紙葉類に端部押を設置して、綴込んだ紙葉類を整理保管する綴紐であって、
前記綴紐の外周面の一端から他端に、規則的又は不規則的に突起が設置され、
前記綴紐は通常のハサミで容易に切断可能であり、かつ当該綴紐は両端を両手で持って硬い物体の角部に当て容易に折り曲げ可能である、
ことを特徴とする綴紐。
【請求項２】
伸縮性が付与された請求項１の綴紐。
【請求項３】
請求項１又請求項２の綴紐に設置され、かつ該綴紐に綴じ込まれた紙葉類の一方又は双方の綴込端部に設置される端部押であって、
該端部押は、二つの平面双方を貫通する穴部が設置され、
該穴部には、通された前記綴紐と摩擦を起こす突起が設置され、
前記端部押の二つの平面の少なくとも一方の面に、前記綴紐が押し込まれ又は一方に引っ張られて挟み込まれて設置される溝部が設置され、
該溝部には、設置された前記綴紐と摩擦を起こす突起が設置され、
前記穴部と前記溝部は、少なくとも一方の端が相互に交わる状態に設置された、
ことを特徴とする端部押。
【請求項４】
請求項１又請求項２の綴紐に設置され、かつ該綴紐に綴じ込まれた紙葉類の一方又は双方の綴込端部に設置される端部押であって、
該端部押は、二つの平面双方を貫通する穴部が設置され、
該穴部には、通された前記綴紐と摩擦を起こす突起が設置され、
前記端部押の二つの平面の少なくとも一方の面に、前記綴紐が押し込まれ又は一方に引っ張られて挟み込まれて設置されるカギ型フック部が設置され、
該該カギ型フック部は、設置された前記綴紐と摩擦を起こす突起が設置され、
前記カギ型フック部のアーム部は、前記穴部の近傍に設置された、
ことを特徴とする端部押。
【請求項５】
綴紐に設置され、かつ該綴紐に綴じ込まれた紙葉類の一方又は双方の端部の紙葉類が係止可能な端部押であって、
該端部押は、ネジ部が設置され、
該ネジを廻すことによって、前記綴紐の押圧及び押圧解除が行なわれる、
ことを特徴とする端部押。
【請求項６】
弾性素材が設置されたか又は少なくとも一方の面を押圧可能なバネが設置された請求項２乃至請求項５の端部押。
【請求項７】
請求項１又は請求項２の綴紐に設置され、かつ該綴紐に綴じ込まれた紙葉類の一方又は双方の綴込端部が係止される端部押であって、
該端部押は、球体又は多面体であって、
前記端部押の外周面から中心部を貫通する穴部が設置され、
該穴部には、通された前記綴紐と摩擦を起こす突起が設置され、
前記端部押の外周面に前記綴紐が押し込まれ又は一方に引っ張られて挟み込まれる溝部が設置され、
該溝部の内周面には、設置された前記綴紐と摩擦を起こす突起が設置され、
前記穴部と前記溝部は、少なくとも一方の端が相互に交わる状態に設置された、
ことを特徴とする端部押。
【請求項８】
請求項１又は請求項３の綴紐を具備したファイリング用具、又は請求項３乃至請求項７の端部押を具備したファイリング用具。
【発明の詳細な説明】
【技術分野】
【０００１】  文房具の綴紐及び端部押に関する。
【背景技術】
【０００２】  本発明は、新規な物品を提供する発明である。大きく見て、文房具の綴紐と端部押の二種類の発明があり、独立請求項は、綴紐１、端部押４つからなる。従属請求項は２である。
綴紐の発明は、穿孔された紙葉類の穿孔部に通されて紙葉類を綴じる可撓性の綴紐であって、該綴紐は、綴じ込まれた紙葉類を当該綴紐によって繋縄するものであるか、又は綴じ込まれた紙葉類に端部押を設置して、綴込んだ紙葉類を整理保管する綴紐であって、
前記綴紐の外周面の一端から他端に、規則的又は不規則的に突起が設置され、前記綴紐は通常のハサミで容易に切断可能であり、かつ当該綴紐は両端を両手で持って硬い物体の角部に当て容易に折り曲げ可能である、ことを特徴とする綴紐、である。
端部押の発明の一つは、請求項１又請求項２の綴紐に設置され、かつ該綴紐に綴じ込まれた紙葉類の一方又は双方の綴込端部に設置される端部押であって、該端部押は、二つの平面双方を貫通する穴部が設置され、該穴部には、通された前記綴紐と摩擦を起こす突起が設置され、前記端部押の二つの平面の少なくとも一方の面に、前記綴紐が押し込まれ又は一方に引っ張られて挟み込まれて設置される溝部が設置され、該溝部には、設置された前記綴紐と摩擦を起こす突起が設置され、前記穴部と前記溝部は、少なくとも一方の端が相互に交わる状態に設置された、ことを特徴とする端部押、である。
端部押の発明の二つ目は、請求項１又請求項２の綴紐に設置され、かつ該綴紐に綴じ込まれた紙葉類の一方又は双方の綴込端部に設置される端部押であって、該端部押は、二つの平面双方を貫通する穴部が設置され、該穴部には、通された前記綴紐と摩擦を起こす突起が設置され、前記端部押の二つの平面の少なくとも一方の面に、前記綴紐が押し込まれ又は一方に引っ張られて挟み込まれて設置されるカギ型フック部が設置され、該該カギ型フック部は、設置された前記綴紐と摩擦を起こす突起が設置され、前記カギ型フック部のアーム部は、前記穴部の近傍に設置された、ことを特徴とする端部押、である。
端部押の発明の三つ目は、綴紐に設置され、かつ該綴紐に綴じ込まれた紙葉類の端部の一方又は双方の紙葉類が係止可能な端部押であって、該端部押は、ネジ部が設置され、該ネジを廻すことによって、前記綴紐の押圧及び押圧解除が行なわれる、ことを特徴とする端部押、である。
端部押の発明の四つ目は、請求項１又は請求項２の綴紐に設置され、かつ該綴紐に綴じ込まれた紙葉類の一方又は双方の綴込端部が係止される端部押であって、該端部押は、球体又は多面体であって、前記端部押の外周面から中心部を貫通する穴部が設置され、該穴部には、通された前記綴紐と摩擦を起こす突起が設置され、前記端部押の外周面に前記綴紐が押し込まれ又は一方に引っ張られて挟み込まれる溝部が設置され、該溝部の内周面には、設置された前記綴紐と摩擦を起こす突起が設置され、前記穴部と前記溝部は、少なくとも一方の端が相互に交わる状態に設置された、ことを特徴とする端部押、である。【０００３】  これまでの調査によれば、穿孔された紙葉類の穿孔部に通されて紙葉類を綴じる可撓性の綴紐であって、該綴紐の外表面の一端から他端にかけて、規則的又は不規則的な突起が設置され、前記綴紐は通常のハサミで容易に切断可能であり、かつ当該綴紐を硬い物体の角部に当て両手で端両を引っ張り容易に折り曲げ可能であり、前記綴紐の一端から他端にかけて均一に製造された、ことを特徴とする綴紐は見当たらない。
文献においては、綴じひもと棒状に加工した金属板を備えた綴じひもにおいて、当該金属板の穴にパンチ穴に綴じひもを結びつける発明に関する文献がある。（例えば、特許文献１参照）。
但し、当該文献に関する技術は、穴に突起が設置されておらず、また溝が設置されておらず、溝部が穴部と交わる状態になっていない。（特許文献１参照）。
また、綴じるペーパーピットに関する発明において、綴紐部分に穴を明け、当該穴に刺しピンを刺して文書類を綴じる技術を提案した文献がある。（例えば、特許文献２参照）。
この文献に関する技術は、綴紐と文書の端部を押えるものが接続して設置され、本発明の綴紐と端部押さえと構造が異なる技術である。（特許文献２参照）。
また、包装用具に関する発明において、紐を結ぶ必要のない包装用具を提案した文献がある。（例えば、特許文献３参照）。この文献に関する技術として、爪、突起、溝、紐の通過孔に関する技術が記載されている。
しかし、この文献に関する技術は、本発明の技術とは、技術構成が異なる技術である。（特許文献３参照）。
【先行技術文献】
【特許文献】
【０００４】
【特許文献１】  特開平１１−２９１６８５号公報
【特許文献２】  特開２０１１−２５６５１号公報
【特許文献３】  特開平５−１９３６３０号公報
【発明の概要】
【発明が解決しようとする課題】
【０００５】  本発明は、大きく見て綴紐と端部押の二種類の発明がある。本発明の課題は、一つには結束した綴紐が容易にほつれないようにすること、二つには、綴紐を結ぶ必要がなく、また設置が簡便で、綴紐に設置した紙葉類の綴端を押える端部押を製造することを課題とした。
【課題を解決するための手段】
【０００６】  綴紐については、当該綴紐の外周面に、突起を設置することとした。
そして端部押については、綴紐を通す穴に、前記綴紐の突起と摩擦力を向上させる、突起等を設置することとした。
具体的な解決手段は、次のとおりである。
一つ目は穴に交差するはめ込み式の溝を設置すること、二つ目は穴の近傍にアーム付きフック部を設けること、三つ目は綴紐を押圧するネジを設置すること、である。
溝の設置は、設置箇所が平面状あるか、球体や多面体に設置するかによって、技術の表現方法を変えたため、二つの独立請求項となっている。
【発明の効果】
【０００７】  本発明によって、新たな綴紐、及び端部押の製造が可能である。
綴紐は、週まわりの大きさ（太さ）と内部状態の違いに応じて多種類の綴紐の製造が可能である。
端部押は、用途に応じて様々な形や大きさ、色づけなどが可能である。
これらによって、新たな消費者ニーズの発掘、市場拡大が期待できる。
【図面の簡単な説明】
【０００８】
【図１】  本発明の請求項１に基づいて作成された文房具の綴紐を短く切り、紐表面に設置された突起の二例を示した斜視図である。綴紐の基線は、いずれも線状である。〔Ａ〕  粒状の突起が設置された綴紐の一例の斜視図  〔Ｂ〕  螺旋状の突起が設置された綴紐の一例の斜視図
【図２】  綴紐の端に、本発明の請求項３に基づいて作成された端部押が設置された一例を示した斜視図である。綴紐、穴部、溝部の突起は、省略している。
【図３】  綴紐の端に、本発明の請求項４に基づいて作成された端部押が設置された一例を示した斜視図である。綴紐、穴部、端部押の突起は、省略している。
【図４】  綴紐の端に、本発明の請求項５に基づいて作成された端部押が設置された一例を示した斜視図である。綴紐、穴部の突起は、省略している。
【図５】  綴紐の端に、本発明の請求項６に基づいて作成された端部押が設置された一例を示した斜視図である。綴紐、穴部、溝部の突起は、省略している。
【発明を実施するための形態】
【０００９】  本発明の各請求項に基づく各部の素材の選定、構造、組み立て方等本明細書に記載された事項に基づく対応は本発明の設計事項とする。
本発明において、綴紐の基盤となる紐の構造（以下、「其紐」という。）は、線状又は管状のものとする。其紐が帯状及びテープ状の綴紐は、本発明の綴紐に含めない。
本発明において、突起には、粒状、輪状、螺旋状の突起を含める。突起の並べ方は、粒状の突起を点在させ、また並べ、また算盤珠や数珠珠を其紐に設置したものも含めるものとする。但し、其紐に微細な粒子及び微細な凹凸模様が設置されたものは、突起に含めないものとする。
なお、綴紐の突起（請求項１の突起）は、当該綴紐を手で取り扱ったとき、手の平や指に引っ掛からないように設置することが望ましい。
なお、端部押に設置する突起（請求項２、請求項３、請求項４、請求項６で設置する場合の突起）は、綴紐の突起と当該突起の間に生ずる摩擦力（滑り止める力）が、大きくなるように設置することが望ましい。
なお、端部押の溝部及びフック部の開口部に、綴紐の摩擦力を向上させるための各種手段を講ずることは、本発明の範囲とする。ネジ部の設置に関しても同様とする。
【実施例１】
【００１０】  実施例１は、綴紐に関するものである。
図１は、本発明の請求項１に基づいて作成された文房具の綴紐を短く切り、紐表面に設置された突起の二例を示した斜視図である。綴紐の基線は、いずれも線状である。
〔Ａ〕は、粒状の突起が設置された綴紐の一例の斜視図
〔Ｂ〕は、螺旋状の突起が設置された綴紐の一例の斜視図
ａ１は粒状の突起が設置された綴紐、ａ２は螺旋状の突起が設置された綴紐、ａ１−１は粒状突起、ａ２−１は螺旋状突起、である。
太さは、任意とする。
細く、短めに製造し、コヨリとすることもできる。
なお、請求項２の綴紐は、請求項１の綴紐に伸縮性が付与されたものである。
伸縮性が付与された綴紐は、綴じ込む紙葉類を端部押によって押圧することが可能となる。
【実施例２】
【００１１】  図２は、綴紐の端に、本発明の請求項３に基づいて作成された端部押が設置された一例を示した斜視図である。綴紐、穴部、溝部の突起は、省略している。
Ｂは端部押（二つの平面を穴部が貫通するもの）である。Ｃは穴部を通されて溝部に設置された綴紐である。
ｂ１は穴部、ｂ２は溝部、である。
二つの平面は、必ずしも、並行である必要はない。
【実施例３】
【００１２】  図３は、綴紐の端に、本発明の請求項４に基づいて作成された端部押が設置された一例を示した斜視図である。綴紐、穴部、端部押の突起は、省略している。
Ｄは端部押（カギ型フック部が設置されたもの）である。Ｃは穴部を通されてカギ型フック部に設置された綴紐である。
ｄ１は穴部、ｄ２はフック部のアーム部、である。
フック部の下面の平面に、突起を設置しても良い。
【実施例４】
【００１３】  図４は、綴紐の端に、本発明の請求項５に基づいて作成された端部押が設置された一例を示した斜視図である。綴紐、穴部の突起は、省略している。
Ｅは端部押（ネジ部を有するもの）である。Ｃは穴部を通された綴紐である。
ｅ１はネジ部、である。
なお、請求項５の端部押は、本発明の請求項１又は請求項２に基づいて作られる綴紐に限定されない端部押である。
【実施例５】〔その他〕【００１４】  図５は、綴紐の端に、本発明の請求項７に基づいて作成された端部押が設置された一例を示した斜視図である。綴紐、穴部、溝部の突起は、省略している。
Ｆは端部押（球体状のもの）である。Ｃは穴部を通され、溝部に設置された綴紐である。
ｆ１は穴部、ｆ２は溝部である。
以上の端部押を二穴型にする場合は、穴を設置した連結板を基盤として、それぞれの端部押を設置すると良い。
請求６の弾性素材又はバネは、端部押が紙葉類を押圧するために設置するものである。
【符号の説明】
【００１５】（図１、請求項１、請求項２関係）
ａ１  綴紐
ａ１−１  綴紐に設置された粒状の突起
ａ２  綴紐
ａ２−１  綴紐に設置された螺旋状の突起
（図２、請求項３関係）
Ｂ  端部押（二つの平面を穴部が貫通するもの）
ｂ１  端部押に設置された二つの平面を貫通する穴部
ｂ２  端部押に設置された溝部
Ｃ  穴部を通されて溝部に設置された綴紐
（図３、請求項４関係）
Ｄ  端部押（カギ型フック部が設置されたもの）
ｄ１  端部押に設置された穴部
ｄ２  端部押に設置されたカギ型フック部のアーム部
Ｃ  穴部を通されてカギ型フック部に設置された綴紐
（図４、請求項５関係）
Ｅ  端部押（ネジ部を有するもの）
ｅ１  端部押に設置されたネジ
Ｃ  穴部を通された綴紐
（図５、請求項７関係）
Ｆ  端部押（球体状のもの）
ｆ１  端部押に設置された穴部
ｆ２  端部押に設置され、穴部と交わる溝部
Ｃ  穴部を通され、溝部に設置された綴紐
【図１】
2014233975.tif 000003
【図２】
2014233975.tif 000004
【図３】
2014233975.tif 000005
【図４】
2014233975.tif 000006
【図５】
2014233975.tif 000007